(57)【要約】【課題】普通に使用しても電磁波を効果的に遮断して、電磁波の人体に対するダメージを防ぐ導電線の電磁波阻隔方法を提供すること。【解決手段】導電線１の外周を絶縁層３及び電磁波隔離材料２で被覆することにより、電磁波隔離材料２で導電線１が発生する電磁波を遮断する。電磁波隔離材料２で絶縁層３の外面を覆っても良いし、絶縁層３の内面を覆っても良い。電磁波隔離材料を絶縁層の中に混入して良い。【選択図】図１
2007201325.tif 000002
【特許請求の範囲】
【請求項１】
導電線の外周を絶縁層及び電磁波隔離材料で被覆し、前記電磁波隔離材料で前記導電線が発生する電磁波を遮断する導電線の電磁波阻隔方法。
【請求項２】
前記電磁波隔離材料がいずれかの絶縁層の外面を覆う請求項１に記載された導電線の電磁波阻隔方法。
【請求項３】
前記電磁波隔離材料がいずれかの絶縁層の内面を覆う請求項１に記載された導電線の電磁波阻隔方法。
【請求項４】
前記電磁波隔離材料をいずれかの絶縁層の中に混入してある請求項１に記載された導電線の電磁波阻隔方法。
【請求項５】
導電線の外周を電磁波隔離材料で覆い、さらに該電磁波隔離材料の外面を１層以上の絶縁層で被覆し、前記電磁波隔離材料で前記導電線が発生する電磁波を遮断する導電線の電磁波阻隔方法。
【請求項６】
前記電磁波隔離材料が、金属材料、導電性を有する高分子材料、セラミック材料、カーボン材料のいずれかである請求項１〜５のいずれかひとつに記載された導電線の電磁波阻隔方法。
【発明の詳細な説明】
【技術分野】
【０００１】
本発明は、導電線から発生する電磁波を遮断する導電線の電磁波阻隔方法に関する。
【背景技術】
【０００２】
扇風機、ドライヤー、ジューサー、電子レンジ等の電気製品は電磁波を発生するが、電磁波の磁場は非常に強い穿通力を持っており、どこにでも侵入する。電磁波はその周波数に応じて正・負極が変化し、周波数が６０Ｈｚの交流電流であれば、正・負極が毎秒６０回変動する。つまり、磁場の方向が毎秒６０回変動し、人体を通ると生体電流を乱して悪影響を与える。
電力を用いる電気製品、壁の中に埋め込まれた電線等はすべて電磁波を発しているため、生活環境には電磁波が溢れている。
【０００３】
一般的な電磁波からの防護方法には次のようなものがある。
1.  プラグを抜いて電磁波の発生を断つ。
2.  電磁波発生源からの距離を保つ。
しかしながら、これらの方法は消極的であり、且つ、制限が多くて実用的でないといわざるを得ない。
【発明の開示】
【発明が解決しようとする課題】
【０００４】
本発明が解決しようとする課題は、特別に使用上の注意を払うことなく電磁波を効果的に遮断して、電磁波の人体に対するダメージを防ぐ導電線の電磁波阻隔方法を提供することにある。
【課題を解決するための手段】
【０００５】
本発明の導電線の電磁波阻隔方法は、導電線の外周を絶縁層及び電磁波隔離材料で被覆し、前記電磁波隔離材料で前記導電線が発生する電磁波を遮断する。
或いは、導電線の外周を電磁波隔離材料で覆い、さらに該電磁波隔離材料の外面を１層以上の絶縁層で被覆し、前記電磁波隔離材料で前記導電線が発生する電磁波を遮断する。
【０００６】
以下の構成を採用しても良い。
前記電磁波隔離材料がいずれかの絶縁層の外面を覆う構成。
前記電磁波隔離材料がいずれかの絶縁層の内面を覆う構成。
前記電磁波隔離材料をいずれかの絶縁層の中に混入してある構成。
前記電磁波隔離材料が、金属材料、導電性を有する高分子材料、セラミック材料、カーボン材料のいずれかとした構成。
【発明の効果】
【０００７】
本発明によれば、導電線の外周を覆う電磁波隔離材料が導電線から発生する電磁波を自動的に遮断するので、導電線から一定以上の距離をあけたり、導電線に流れる電流を停止する等の特別な使用上の注意を払うこと無く、人体や他の電気製品に対する電磁波の悪影響を確実に防ぐことができる。
【発明を実施するための最良の形態】
【０００８】
導電線の電磁波阻隔方法は、導電線の外周を絶縁層及び電磁波隔離材料で被覆することにより、電磁波隔離材料で導電線が発生する電磁波を遮断する。
本発明の導電線は、屋内に配線された導電線、及び、屋外や工業用の導電線を含む。
電磁波隔離材料は、金属材料、導電性を有する高分子材料、セラミック材料、カーボン材料のいずれかとする。
以下、本発明の実施例を図面に基づいて詳細に説明する。
【実施例１】
【０００９】
図１に、本発明の実施例１に係る被覆導電線を示す。
この被覆導電線は、導電線１の外面を絶縁層３でそれぞれ覆い、さらに絶縁層３の外面を電磁波隔離材料２でそれぞれ被覆して成り、電磁波隔離材料２によって導電線１から発生する電磁波を遮断する。
【実施例２】
【００１０】
図２に示す実施例２では、実施例１と逆に、導電線１の外面をそれぞれ電磁波隔離材料２で覆い、さらにその外面を絶縁層３で被覆して被覆導電線を形成し、電磁波隔離材料２で電磁波を遮断する。
電磁波隔離材料２が絶縁層３で保護され、傷つき難い。
【実施例３】
【００１１】
図３は、実施例３に係る被覆導電線を示す。
この被覆導電線は、並列した２本の導電線１Ａの外面をそれぞれ電磁波隔離材料２Ａで覆い、さらにその外面から２本の導電線１Ａを共通の絶縁層３Ａで被覆して成り、電磁波隔離材料２Ａによって導電線１Ａが発生する電磁波を遮断する。
【実施例４】
【００１２】
図４は、実施例４に係る被覆導電線を示す。
実施例４に係る被覆導電線は、並列した２本の導電線１Ａの外面をそれぞれ絶縁層３Ａで覆い、さらにその外面から２本の導電線１Ａを共通の電磁波隔離材料２Ａで被覆して成る。
【実施例５】
【００１３】
図５に示す実施例５では、並列した２本の導電線１Ｂの外面を共通の第１絶縁層３Ｂで覆い、第１絶縁層３Ｂの外面を電磁波隔離材料２Ｂで被覆し、さらにその外面を第２絶縁層４で覆って被覆導電線を形成し、電磁波隔離材料２Ｂで導電線１Ｂから発生する電磁波を遮断する。
【実施例６】
【００１４】
図６は、実施例６に係る被覆導電線を示す。
この被覆導電線は、並列した２本の導電線１Ｂの外面を共通の第１絶縁層３Ｂで覆い、第１絶縁層３Ｂの外面を第２絶縁層４で覆い、さらにその外面を電磁波隔離材料２Ｂで被覆して成る。
【実施例７】
【００１５】
図７は、実施例７に係る被覆導電線を示す。
並列した３本の導電線１Ｃの外面をそれぞれ電磁波隔離材料２Ｃで覆い、さらにその外面を共通の絶縁層３Ｃで覆って被覆導電線を形成する。そして、電磁波隔離材料２Ｃによって導電線１Ｃから発生する電磁波を遮断する。
【実施例８】
【００１６】
図８は、実施例８に係る被覆導電線を示す。
この被覆導電線は、並列した３本の導電線１Ｃの外面を共通の絶縁層３Ｃで覆い、さらにこの絶縁層３Ｃの外面を電磁波隔離材料２Ｃで覆って成る。
なお、本発明は上記実施例による電磁波阻隔方法に限定されない。例えば、電磁波隔離材料を、独立した層状とせずに、絶縁層の中に混入することもできる。
【図面の簡単な説明】
【００１７】
【図１】実施例１に係る被覆導電線の斜視図。
【図２】実施例２に係る被覆導電線の斜視図。
【図３】実施例３に係る被覆導電線の斜視図。
【図４】実施例４に係る被覆導電線の斜視図。
【図５】実施例５に係る被覆導電線の斜視図。
【図６】実施例６に係る被覆導電線の斜視図。
【図７】実施例７に係る被覆導電線の斜視図。
【図８】実施例８に係る被覆導電線の斜視図。
【符号の説明】
【００１８】
１，１Ａ，１Ｂ，１Ｃ  導電線
２，２Ａ，２Ｂ，２Ｃ  電磁波隔離材料
３，３Ａ，３Ｃ  絶縁層
３Ｂ  第１絶縁層
４  第２絶縁層
【図１】
2007201325.tif 000003
【図２】
2007201325.tif 000004
【図３】
2007201325.tif 000005
【図４】
2007201325.tif 000006
【図５】
2007201325.tif 000007
【図６】
2007201325.tif 000008
【図７】
2007201325.tif 000009
【図８】
2007201325.tif 000010